(57)【特許請求の範囲】
【請求項１】
脱穀装置（５）から排藁搬送装置（８）を介して排出される排稈を切断処理するカッター（１０）と、該カッター（１０）に前記排稈を送給するか否かを切換えるための切換板（２１）を備えた排藁処理装置（９）において、前記切換板（２１）を回動操作レバー（２３）で開閉操作してカッター（１０）に排稈を送給する切断処理状態と、排稈を排藁として機外へ放出する放出処理状態と、カッター（１０）の上方を開放するメンテナンス状態の３態様に姿勢切換可能に構成し、前記切換板（２１）に一体固着した回動支点軸（２２）の一端に回動操作レバー（２３）を一体的に連結し、該回動操作レバー（２３）を前記３態様に対応する所定の回動操作位置で保持する保持手段であるピン（３１，３２，３３）を排藁処理装置（９）の側方カバー（９ｂ）に突設し、該ピン（３１，３２，３３）と前記回動操作レバー（２３）とを係合或いは係止させることにより前記切換板（２１）を３態様に保持すると共に、前記回動操作レバー（２３）を外側に弾性的に曲げ変形可能な帯状のバネ鋼材で形成し、その先端の把持部（２３ａ）を持って外側に曲げ変形させることにより回動操作レバー（２３）とピン（３１，３２）との係合を解除できるように構成し、メンテナンス状態を保持するピン（３３）から回動支点軸（２２）までの長さを、他のピン（３１，３２）から回動支点軸（２２）までの長さより短くなるように設定して、前記切換板（２１）の切断処理状態及び放出処理状態での保持は、回動操作レバー（２３）とピン（３１，３２）との係合により行い、前記切換板（２１）のメンテナンス状態での保持は、切換板（２１）の自重によって回動操作レバー（２３）をピン（３３）に対して係止させることにより行うことを特徴とする排藁処理装置。
【発明の詳細な説明】
【技術分野】
【０００１】
本発明は、脱穀装置により脱穀処理した後の排稈を切断処理するカッターに送給するか否かを切換えるための切換板を備えた排藁処理装置に関する。
【背景技術】
【０００２】
従来、コンバイン等に搭載した脱穀装置の後部に配設される排藁処理装置は、脱穀装置から排藁搬送装置を介して排出される排稈を、カッターに送給するか否かを切換えるための切換板（カバー）を備えており、該切換板に連設したアームをロッドを介して操作レバーに連結し、この操作レバーを揺動することによって、当該切換板をカッターに排稈を送給する切断処理姿勢と、機外に排稈を放出する放出処理姿勢の二段階に切換可能に構成すると共に、前記切換板が切断処理姿勢にある時、排稈の送給経路中で藁詰まりが発生すると、藁詰まりした排稈の押圧力によって切換板が自動的に後方に開放作動するように構成したものが知られている（例えば、特許文献１参照。）。
【０００３】
また、切換板と操作レバーとの間に係脱可能な連結具を介装し、この連結具による両者の係合を解除することによって、当該切換板を大きく後方に回動させてカッターの上方を完全に開放できるように構成したものが知られている（例えば、特許文献２参照。）。
【特許文献１】実開昭５５−１７０９５８号公報（第３図）
【特許文献２】特開２００２−２６２６５１号公報（第２−３頁、図４）
【発明の開示】
【発明が解決しようとする課題】
【０００４】
しかし、上述した特許文献１のものは、切換板が切断処理姿勢にある時、排稈の送給経路中で所定時間以上の藁詰まりが発生した場合に限って、切換板が自動的に後方に開放作動するものであり、排藁処理装置内に所定間隔で配設されているカッター（複数の円盤刃）の掃除や点検等のメンテナンスを行う場合に、当該切換板を開放することができないので作業性が悪かった。
【０００５】
また、特許文献２のものは、切換板と操作レバーとの間に係脱可能な連結具を設けなければならず、構造が複雑化してコスト高になるといった問題点を有していた。
【課題を解決するための手段】
【０００６】
本発明は、上記課題を解決することを目的として創案したものであって、脱穀装置から排藁搬送装置を介して排出される排稈を切断処理するカッターと、該カッターに前記排稈を送給するか否かを切換えるための切換板を備えた排藁処理装置において、前記切換板を回動操作レバーで開閉操作してカッターに排稈を送給する切断処理状態と、排稈を排藁として機外へ放出する放出処理状態と、カッターの上方を開放するメンテナンス状態の３態様に姿勢切換可能に構成し、前記切換板に一体固着した回動支点軸の一端に回動操作レバーを一体的に連結し、該回動操作レバーを前記３態様に対応する所定の回動操作位置で保持する保持手段であるピンを排藁処理装置の側方カバーに突設し、該ピンと前記回動操作レバーとを係合或いは係止させることにより前記切換板を３態様に保持すると共に、前記回動操作レバーを外側に弾性的に曲げ変形可能な帯状のバネ鋼材で形成し、その先端の把持部を持って外側に曲げ変形させることにより回動操作レバーとピンとの係合を解除できるように構成し、メンテナンス状態を保持するピンから回動支点軸までの長さを、他のピンから回動支点軸までの長さより短くなるように設定して、前記切換板の切断処理状態及び放出処理状態での保持は、回動操作レバーとピンとの係合により行い、前記切換板のメンテナンス状態での保持は、切換板の自重によって回動操作レバーをピンに対して係止させることにより行うことを特徴としている。
【発明の効果】
【０００８】
請求項１の発明によれば、脱穀装置から排藁搬送装置を介して排出される排稈を切断処理するカッターと、該カッターに前記排稈を送給するか否かを切換えるための切換板を備えた排藁処理装置において、前記切換板を回動操作レバーで開閉操作してカッターに排稈を送給する切断処理状態と、排稈を排藁として機外へ放出する放出処理状態と、カッターの上方を開放するメンテナンス状態の３態様に姿勢切換可能に構成し、前記切換板に一体固着した回動支点軸の一端に回動操作レバーを一体的に連結し、該回動操作レバーを前記３態様に対応する所定の回動操作位置で保持する保持手段であるピンを排藁処理装置の側方カバーに突設し、該ピンと前記回動操作レバーとを係合或いは係止させることにより前記切換板を３態様に保持すると共に、前記回動操作レバーを外側に弾性的に曲げ変形可能な帯状のバネ鋼材で形成し、その先端の把持部を持って外側に曲げ変形させることにより回動操作レバーとピンとの係合を解除できるように構成し、メンテナンス状態を保持するピンから回動支点軸までの長さを、他のピンから回動支点軸までの長さより短くなるように設定して、前記切換板の切断処理状態及び放出処理状態での保持は、回動操作レバーとピンとの係合により行い、前記切換板のメンテナンス状態での保持は、切換板の自重によって回動操作レバーをピンに対して係止させることにより行うから、特に切換板の姿勢を前記メンテナンス状態に切換えてカッターの上方を開放した時、排藁処理装置内のカッターに所定間隔で配設されている複数の円盤刃の掃除や点検等のメンテナンス性が向上する。また、切換板の回動支点軸の一端に連結した回動操作レバーと、該回動操作レバーを所定の回動操作位置で保持する保持手段は、共に安価に構成することができるので当該排藁処理装置のコスト低減が図られる。
【発明を実施するための最良の形態】
【００１０】
以下、本発明の実施の形態を図面に基づいて説明する。図１に示すように、コンバイン１は、左右の一対のクローラ走行装置２に走行機体３を支持すると共に、この走行機体３の右側前部に運転席４、該運転席４の左側後方には脱穀装置５、運転席４の後方には脱穀装置５によって脱穀した後の穀粒を貯留するグレンタンク６等を設けている。
【００１１】
そして、走行機体３の前方には穀稈を刈り取る前処理部７を上下昇降可能に架設してあり、前処理部７を下降した状態でコンバイン１を走行させながら圃場内の穀稈を刈り取り、この刈り取った穀稈を前処理部７と脱穀装置５との間に設けた搬送部を経由して脱穀装置５に送り、該脱穀装置５において脱穀した後の穀粒をグレンタンク６に貯留する刈り取り作業を連続して行うことができるようになっている。
【００１２】
また、脱穀装置５において脱穀処理した後の排稈は、排藁搬送装置８を介して排藁処理装置９に送給され、この排藁処理装置９に送られた排稈を、当該排藁処理装置９内に所定間隔で配設されているカッター１０により切断処理した後、排藁として機外へ放出できるようになっている。
【００１３】
更に詳しくは、カッター１０は、図２〜図５に示すように、排藁処理装置９のフレーム１１を構成する左右の側板１１ａ，１１ｂに、掻込軸１２と切断軸１３とを回転可能に軸支すると共に、掻込軸１２には複数の円盤状の掻込刃１４を所定の間隔で配設し、一方切断軸１３には前記掻込刃１４に対応して近接する複数の円盤状の切断刃１５を配設した構成になっている。
【００１４】
そして、排藁処理装置９の左側面側に設けた図示しない駆動部を介して脱穀装置５側から入力される駆動力を掻込軸１２と切断軸１３に伝動し、それにより掻込刃１４と切断刃１５とを回転させて、排藁搬送装置８から送給される排稈をカッター１０の掻込刃１４と切断刃１５との間に掻き込みながら所定の長さに切断し、その切り藁を排藁として機外へ放出できるようにしてある。
【００１５】
また、排藁処理装置９の上部には、上述した排藁搬送装置８から送給される排稈をカッター１０に送給するか否かを切換えるための開閉可能な切換板２１を備えている。詳述すると、前記切換板２１に一体固着した回動支点軸２２を、排藁処理装置９のフレーム１１を構成する左右の側板１１ａ，１１ｂの後側上部に軸支すると共に、回動支点軸２２の右端部を前記右側板の１１ｂの外側から取り付ける側方カバー９ｂよりも突出させ、この回動支点軸２２の突出部に当該切換板２１を開閉操作する回動操作レバー２３を一体的に連結（螺設）している。尚、回動操作レバー２３を上方に回動して切換板２１の作用姿勢を切換える際、回動支点軸２２を中心として上方回動する切換板２１の先端と排藁搬送装置８の終端とが干渉するので、この干渉を回避すべく当該切換板２１の先端部に切欠き２１ａを設けている。
【００１６】
そして、前記右側板１１ｂと側方カバー９ｂとの間には、回動操作レバー２３の基端部側の回動支点軸２２に固着した小アーム２２ａと一端が連結する連杆２４が設けてあり、更にこの連杆２４の他端と連結する小アーム２５を介して回動支点Ｐを中心に上下方向に回動可能なカバー体２６を、排藁処理装置９のフレーム１１を構成する右側板１１ｂと、左右の側板１１ａ，１１ｂとの略中間部に設けた支持部材１１ｃに支持することによって、前記切換板２１が排稈を排藁として機外へ放出する放出処理状態、即ち切換板２１が閉じた作用姿勢状態にある時は、当該切換板２１の先端部に設けた切欠き２１ａによる隙間を前記カバー体２６で閉塞することができるようにリンク機構を構成している。
【００１７】
また、回動操作レバー２３は、外側に弾性的に曲げ変形可能な帯状のバネ鋼材を用いており、その先端の把持部２３ａを容易に把持できるように外側に向けて折り曲げ形成すると共に、該把持部２３ａと回動操作レバー２３の回動支点軸２２との略中間部に長孔２３ｂを設けている。一方、側方カバー９ｂの外面には、回動操作レバー２３を所定の回動操作位置で保持する保持手段としてのピン３１，３２，３３が突設してあって、回動操作レバー２３の前記長孔２３ｂをピン３１，３２に係合するか、或いは回動操作レバー２３の上側をピン３３に係止することにより、当該回動操作レバー２３を所定の回動操作位置で保持できるようにしてある。
【００１８】
詳述すると、図２は、回動操作レバー２３の長孔２３ｂをピン３１に係合した状態、即ち、切換板２１を閉じた作用姿勢状態を示すものであって、この状態においてはカッター１０の上方が切換板２１及びカバー体２６により塞がれるので、脱穀装置５から排藁搬送装置８を介して排出される排稈がカッター１０に落下することなく、排稈を排藁としてスムーズに機外へ放出する放出処理状態となっている。尚、図２及び図３に示す点線矢印は、脱穀装置５から排藁搬送装置８を介して排出される排稈と、カッター１０によって切断処理された後の切り藁の流れを示したものである。
【００１９】
そして、図２に示した回動操作レバー２３の長孔２３ｂとピン３１の係合を回動操作レバー２３を先端の把持部２３ａを持って外側に曲げることにより解除し、次いで図３に示す矢印の如く回動操作レバー２３を上方に回動して回動操作レバー２３を先端の把持部２３ａを持って外側に曲げ変形させながら当該長孔２３ｂをピン３２に係合すると、切換板２１は図中矢印に示す如く略直立状態まで上方に回動すると共に、連杆２４を介してカバー体２６はやや下方に回動する。即ち、この状態は、脱穀装置５から排藁搬送装置８を介して排出される排稈をカッター１０に送給可能な切断処理状態になっており、脱穀装置５から排藁搬送装置８を介して排出される排稈は、前記カバー体２６と、切換板２１の幅方向に所定の間隔を存して螺設した複数のガイド板３５と、これらガイド板３５の下方で排藁処理装置９のフレーム１１を構成する左右の側板１１ａ，１１ｂに軸支した遊転ローラ３６によって案内されながら、スムーズにカッター１０へと送給されるようになっている。
【００２０】
更に、図４は、図３に示した回動操作レバー２３の長孔２３ｂとピン３２の係合を回動操作レバー２３を先端の把持部２３ａを持って外側に曲げることにより解除し、図中矢印の如く回動操作レバー２３を上方に回動して、該回動操作レバー２３の上側をピン３３に係止した状態、即ち、切換板２１及びカバー体２６を図中矢印の如く回動させて、カッター１０の上方を大きく開放したメンテナンス姿勢状態を示しており、この状態で排藁処理装置９内のカッター１０に配設されている複数の掻込刃１４と切断刃１５の掃除や点検等のメンテナンスを行うことができるようになっている。この時、切換板２１の自重によって回動操作レバー２３の上側がピン３３に確実に係止されている。
【００２１】
上述したように、切換板２１の回動支点軸２２の一端に回動操作レバー２３を連結すると共に、この回動操作レバー２３を所定の回動操作位置で保持する保持手段であるピン３１，３２，３３を排藁処理装置９の側方カバー９ｂに突設することによって、当該切換板２１をカッター１０に排稈を送給する切断処理状態と、排稈を排藁として機外へ放出する放出処理状態と、カッター１０の上方を開放するメンテナンス状態の３態様に容易に姿勢切換することができ、特に切換板２１の姿勢を前記メンテナンス状態に切換えてカッター１０の上方を開放した時、排藁処理装置９内のカッター１０に所定間隔で配設されている複数の円盤刃（掻込刃１４と切断刃１５）の掃除や点検等のメンテナンス性が向上する。
【００２２】
また、切換板２１の回動支点軸２２の一端に螺設した回動操作レバー２３と、該回動操作レバー２３を所定の回動操作位置で保持する排藁処理装置９の側方カバー９ｂに設けた保持手段（ピン）３１，３２，３３は、共に安価に構成することができるので当該排藁処理装置９のコスト低減が図られる。
【００２３】
また、前記切換板２１の作用姿勢をメンテナンス状態に切換えた時、当該切換操作に連係してカバー体２６が下方に回動するように、回動操作レバー２３とカバー体２６との間に連杆２４を介したリンク機構を構成しているので、それによって排藁搬送装置８の下方を拡開させて、更にカッター１０の上方を広く開放することができるのでメンテナンス性が向上する。
【図面の簡単な説明】
【００２４】
【図１】コンバインの側面図。
【図２】切換板の放出処理姿勢状態を示す排藁処理装置の側面図。
【図３】切換板の切断処理姿勢状態を示す排藁処理装置の側面図。
【図４】切換板のメンテナンス姿勢状態を示す排藁処理装置の側面図。
【図５】回動操作レバー（切換板）とカバー体とのリンク機構を示す側面図。
【符号の説明】
【００２５】
５      脱穀装置
８      排藁搬送装置
１０    カッター
２１    切換板
２２    回動支点軸
２３    回動操作レバー
２６    カバー体
３１    保持手段（ピン）
３２    保持手段（ピン）
３３    保持手段（ピン）
【図１】
0004658246.tif 000002
【図２】
0004658246.tif 000003
【図３】
0004658246.tif 000004
【図４】
0004658246.tif 000005
【図５】
0004658246.tif 000006